【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
プログラムを実装したハードウェアコンピュータシステムを用いて実行する方法であって、
（ａ）前記コンピュータシステムを用いて、セットトップボックスに送信するテレビ広告を選択し、この際、ユーザ自身に関する、又は、前記セットトップボックスと関連付けされた第２のオンラインデバイスを用いて行われたオンライン行動に関する、プロファイル情報の少なくとも一部に基づいて、前記テレビ広告を選択することと、
（ｂ）前記第２のオンラインデバイスと前記セットトップボックスとの関連付けを、（ｉ）第１のオンラインデバイスが、前記セットトップボックスと共有する地理的位置にあったと推定される時点の、前記第１のオンラインデバイスの位置である、前記セットトップボックスの代用位置に係る、保存された電子認証と、（ｉｉ）前記第２のオンラインデバイスが、少なくとも一時的に前記セットトップボックスの前記代用位置にあったと推定されることを示す、保存された電子認証と、により示すことと、を含むことを特徴とする方法。
【請求項２】
更に、前記コンピュータシステムを用いて、前記セットトップボックスと共有する位置にあったと推定されるオンラインデバイスを、前記第１のオンラインデバイスとして認識し、前記セットトップボックスの代用位置に係る前記電子認証を保存することを含むことを特徴とする請求項１記載の方法。
【請求項３】
更に、前記コンピュータシステムを用いて、前記セットトップボックスの前記代用位置に、少なくとも一時的に配置されていたと推定される、１台以上の前記第２のオンラインデバイスを認識し、前記セットトップボックスと、認識した１台以上の前記第２のオンラインデバイスの各々との間の、通信の関連付けに係る前記電子認証を保存することを含むことを特徴とする請求項１記載の方法。
【請求項４】
前記セットトップボックスが、オンラインアクセスしないことを特徴とする請求項１記載の方法。
【請求項５】
前記セットトップボックスの前記代用位置に係る、保存された前記電子認証は、前記第１のオンラインデバイスが、前記セットトップボックスと共有する位置にあったと推定される時点の、前記第１のオンラインデバイスまでのネットワークトラフィックのルーティングに用いられるＩＰアドレスの、少なくとも一部を示すデータを含むことを特徴とする請求項１記載の方法。
【請求項６】
更に、前記コンピュータシステムを用いて、前記第２のオンラインデバイスが前記セットトップボックスの前記代用位置にあると推定される間の、時間枠にわたって提示するために、選択した前記テレビ広告を前記セットトップボックスへ送信することを含むことを特徴とする請求項１記載の方法。
【請求項７】
更に、前記コンピュータシステムを用いて、（ｉ）選択した時間枠の間に前記セットトップボックスを介して表示されるテレビ番組又はチャンネルと、（ｉｉ）前記プロファイル情報の少なくとも一部との間の、観察された相関性に基づいて選択した時間枠にわたって提示するために、選択した前記テレビ広告を前記セットトップボックスへ送信することを含むことを特徴とする請求項１記載の方法。
【請求項８】
更に、前記コンピュータシステムを用いて、（ｉ）選択した時間枠と、（ｉｉ）前記第２のオンラインデバイスが前記セットトップボックスの前記代用位置にあったと推定される間の以前の時間枠との間の、観察された相関性に基づいて選択した時間枠にわたって提示するために、選択した前記テレビ広告を前記セットトップボックスへ送信することを含むことを特徴とする請求項１記載の方法。
【請求項９】
セットトップボックス及び第２のオンラインデバイスを所有するユーザのオンライン行動による商取引に係る、コンピュータで実行する方法であって、
（ａ）コンピュータシステムで通知を受信し、該通知は、（ｉ）セットトップボックスの識別子を含む又は参照するものであり、かつ、（ｉｉ）前記セットトップボックスの識別子に対応する前記セットトップボックスを用いて提示されているテレビ広告に由来し、該テレビ広告を示すものである、受信工程と、
（ｂ）前記第２のオンラインデバイスを介したオンライン行動に対して実行する、前記テレビ広告を提示した後の行動を、前記通知に基づいて、前記コンピュータシステムで自動的に行い、この際の第２のオンラインデバイスは、前記行動の時点で、第２のオンラインデバイスの識別子に対応するものである行動実行工程と、
（ｃ）該第２のオンラインデバイスの識別子を、前記セットトップボックスの識別子と関連付けし、該関連付けは、（ｉ）第１のオンラインデバイスが、前記セットトップボックスと共有する地理的位置にあったと推定される時点の、前記第１のオンラインデバイスの位置である、前記セットトップボックスの代用位置に係る、保存された電子認証と、（ｉｉ）前記第２のオンラインデバイスが、少なくとも一時的に前記セットトップボックスの前記代用位置にあったと推定されることを示す、保存された電子認証と、により示される関連付け工程と、を含むことを特徴とする方法。
【請求項１０】
前記行動実行工程（ｂ）は、選択したオンライン広告を、前記第２のオンラインデバイスへ送信することを含むことを特徴とする請求項９記載の方法。
【請求項１１】
前記行動実行工程（ｂ）は、テレビ広告の提示の後に実行する、選択したオンライン行動の記録を含み、この際のオンライン行動を、前記第２のオンラインデバイスから追跡することを特徴とする請求項９記載の方法。
【請求項１２】
更に、コンピュータシステムを用いて、前記セットトップボックスと共有する位置にあったと推定されるオンラインデバイスを、前記第１のオンラインデバイスとして認識し、前記セットトップボックスの代用位置に係る前記電子認証を保存することを含むことを特徴とする請求項９記載の方法。
【請求項１３】
更に、コンピュータシステムを用いて、前記セットトップボックスの前記代用位置に、少なくとも一時的に配置されていたと推定される、１台以上の前記第２のオンラインデバイスを認識し、前記セットトップボックスと、認識した１台以上の前記第２のオンラインデバイスの各々との間の、通信の関連付けに係る前記電子認証を保存することを含むことを特徴とする請求項９記載の方法。
【請求項１４】
前記セットトップボックスが、オンラインアクセスしないことを特徴とする請求項９記載の方法。
【請求項１５】
前記セットトップボックスの前記代用位置に係る、保存された前記電子認証は、前記第１のオンラインデバイスが、前記セットトップボックスと共有する位置にあったと推定される時点の、前記第１のオンラインデバイスまでのネットワークトラフィックのルーティングに用いられるＩＰアドレスの、少なくとも一部を示すデータを含むことを特徴とする請求項９記載の方法。
【請求項１６】
装置を構成するハ−ドウェアコンピュータシステムであって、
請求項１〜８のいずれか１項記載の方法を実行するように、構成及びプログラムされたことを特徴とするシステム。
【請求項１７】
装置を構成するハ−ドウェアコンピュータシステムであって、
セットトップボックスと第２のオンラインデバイスとを所有するユーザの、オンライン行動を取り扱う、請求項９又は１２記載の方法を実行するように構成及びプログラムされたことを特徴とするシステム。
【請求項１８】
コンピュータシステムに適用されたときに、請求項１〜８のいずれか１項記載の方法を実行するという、前記コンピュータシステムに対する命令を、コンピュータ読み取り可能な指示にコード化する、有形の媒体を含むことを特徴とする物品。
【請求項１９】
コンピュータシステムに適用されたときに、セットトップボックスと第２のオンラインデバイスとを所有するユーザの、オンライン行動を取り扱う、請求項９又は１２記載の方法を実行するという、前記コンピュータシステムに対する命令を、コンピュータ読み取り可能な指示にコード化する、有形の媒体を含むことを特徴とする物品。